【手続補正書】
【提出日】平成28年3月11日(2016.3.11)
【手続補正１】
【補正対象書類名】特許請求の範囲
【補正対象項目名】全文
【補正方法】変更
【補正の内容】
【特許請求の範囲】
【請求項１】
コンテンツを管理する方法であって、
デバイス特性セットを有するデバイスに関連付けられたコンテンツについてのフィードバック情報を受信するステップであって、前記デバイス特性は、1つまたは複数のデバイス構成情報を含む、ステップと、
前記フィードバック情報に基づいて、前記デバイス特性の1つまたは複数に関連付けられた前記コンテンツの適合性レーティングを判断するステップと、
前記デバイス特性セットの一部分の1つまたは複数のデバイス特性に関連付けられた前記コンテンツの前記適合性レーティングの一部分に基づいて、前記デバイス特性セットの前記一部分を有する他のデバイスにメッセージを提供するステップとを含む方法。
【請求項２】
前記デバイス特性セットに関係した前記コンテンツの前記適合性レーティングに基づいて、少なくとも前記デバイス特性セットの一部分を有する要求側デバイス用に前記コンテンツを利用可能にするステップをさらに含む、請求項1に記載の方法。
【請求項３】
前記メッセージが、1つもしくは複数の適合コンテンツのリスト、前記コンテンツに関して実施するためのアクションに関する推奨、前記コンテンツのコピー、前記コンテンツを含むストリーム、前記コンテンツの変換、前記コンテンツの翻訳、または前記コンテンツに関してアクションを実施するための命令のうちの1つまたは複数を含む、請求項1に記載の方法。
【請求項４】
前記アクションが、消去、アンインストール、アップグレード、置換え、獲得、コピー、ストリーミング、変換、翻訳、レンダリング、表示、提示、出力、生成、または実行のうちの少なくとも1つを含む、請求項3に記載の方法。
【請求項５】
前記コンテンツの前記適合性レーティングが、前記コンテンツについての複数の適合性レーティングのうちの1つを含み、前記複数の適合性レーティングの各々が、複数のデバイス特性セットのうちの異なる1つに対応し、前記複数の適合性レーティングのうちの前記1つが、前記他のデバイスのデバイス特性セットへの最も近い一致を定義する、前記複数のデバイス特性セットのうちの前記1つに対応する、請求項1に記載の方法。
【請求項６】
前記コンテンツの前記適合性レーティングが、前記コンテンツについての複数の適合性レーティングのうちの複数に基づき、前記複数の適合性レーティングの各々が、複数のデバイス特性セットのうちの異なる1つに対応する、請求項1に記載の方法。
【請求項７】
前記フィードバック情報を受信するステップが、ユーザレーティング、ユーザレビュー、コンテンツ使用情報、またはコンテンツアンインストール情報のうちの1つまたは複数を受信するステップをさらに含む、請求項1に記載の方法。
【請求項８】
前記フィードバック情報を受信するステップが、使用頻度情報または使用継続時間情報のうちの1つまたは複数を受信するステップをさらに含む、請求項1に記載の方法。
【請求項９】
前記コンテンツについてのフィードバック情報を受信するステップが、ユーザレーティングを受信するステップをさらに含み、前記コンテンツの前記適合性レーティングを判断するステップが、
前記ユーザレーティングが閾値レベルを超えるとき、前記コンテンツは適合性があると判断するステップと、
前記ユーザレーティングが前記閾値レベルを下回るとき、前記コンテンツは適合性がないと判断するステップとをさらに含む、請求項1に記載の方法。
【請求項１０】
前記コンテンツについてのフィードバック情報を受信するステップが、ユーザレビューを受信するステップをさらに含み、前記コンテンツの前記適合性レーティングを判断するステップが、
適合特性または非適合特性のうちの少なくとも1つを定義する、前記ユーザレビューのうちの1つまたは複数の要素を識別するステップと、
前記1つまたは複数の要素が、適合性閾値レベルを超える1つまたは複数の適合特性を定義するとき、前記コンテンツは適合性があると判断するステップと、
前記1つまたは複数の要素が、非適合性閾値レベルを超える1つまたは複数の非適合特性を定義するとき、前記コンテンツは適合性がないと判断するステップとをさらに含む、請求項1に記載の方法。
【請求項１１】
前記ユーザレビューのうちの前記1つまたは複数の要素が、1つまたは複数のキーワードを含む、請求項10に記載の方法。
【請求項１２】
前記コンテンツについてのフィードバック情報を受信するステップが、前記コンテンツをアンインストールすると、コンテンツアンインストール情報を受信するステップをさらに含み、前記コンテンツの前記適合性レーティングを判断するステップが、
コンテンツアンインストールのタイミングがアンインストール期間閾値レベルを超えるとき、前記コンテンツは適合性があると判断するステップと、
前記コンテンツアンインストールの前記タイミングが前記アンインストール期間閾値レベルを下回るとき、前記コンテンツは適合性がないと判断するステップとをさらに含む、請求項1に記載の方法。
【請求項１３】
フィードバック情報を受信するステップが、前記コンテンツアンインストールに関連付けられたユーザフィードバックを受信するステップをさらに含み、前記コンテンツの前記適合性レーティングを判断するステップが、
前記アンインストール期間閾値レベルおよび前記ユーザフィードバックに基づいて、前記コンテンツは適合性があると判断するステップをさらに含む、請求項12に記載の方法。
【請求項１４】
前記ユーザフィードバックが、前記コンテンツアンインストール中にユーザに対して提示される1つまたは複数のアンインストールメッセージから選択される、請求項13に記載の方法。
【請求項１５】
前記アンインストールメッセージが、前記コンテンツが前記デバイス上で正しく機能しなかった、前記デバイスが前記コンテンツによって使われる構成要素をもっていなかった、または、前記ユーザが前記デバイス上で前記コンテンツを使うことを好まなかった、のうちの1つまたは複数を含む、請求項14に記載の方法。
【請求項１６】
前記構成要素が、カメラ、全地球測位システム、ワイヤレス接続機能、および特定のスクリーンサイズのうちの1つまたは複数を含む、請求項15に記載の方法。
【請求項１７】
フィードバック情報を受信するステップが、コンテンツ使用情報を受信するステップをさらに含み、前記コンテンツの前記適合性レーティングを判断するステップが、
前記アンインストール期間閾値レベルおよび前記コンテンツ使用情報に基づいて、前記コンテンツは適合性があると判断するステップをさらに含む、請求項12に記載の方法。
【請求項１８】
前記コンテンツについてのフィードバック情報を受信するステップが、コンテンツ使用情報を受信するステップをさらに含み、前記コンテンツの前記適合性レーティングを判断するステップが、
前記コンテンツ使用情報が閾値レベルを上回るとき、前記コンテンツは適合性があると判断するステップと、
前記コンテンツ使用情報が前記閾値レベルを下回るとき、前記コンテンツは適合性がないと判断するステップとをさらに含む、請求項1に記載の方法。
【請求項１９】
前記コンテンツ使用情報を受信するステップが、定期的に受信するステップをさらに含む、請求項18に記載の方法。
【請求項２０】
前記コンテンツ使用情報を受信するステップが、使用頻度情報または使用継続時間情報のうちの少なくとも1つを受信するステップをさらに含む、請求項18に記載の方法。
【請求項２１】
前記フィードバック情報を送信する前記デバイスに基づいて、前記フィードバック情報または前記適合性レーティングに重みを加えるステップをさらに含み、
前記要求側デバイス用に前記コンテンツを利用可能にするステップが、前記重み付きフィードバック情報または前記重み付き適合性レーティングに基づく、請求項2に記載の方法。
【請求項２２】
前記重みを加えるステップが、前記フィードバック情報を送信する前記デバイスが前記要求側デバイスの第2のユーザのソーシャルネットワーク内の第1のユーザに対応するとき、前記フィードバック情報または前記適合性レーティングに比較的高い重みを加えるステップを含む、請求項21に記載の方法。
【請求項２３】
前記フィードバック情報に基づいて、前記コンテンツのランク付け値を判断するステップと、
前記コンテンツを、前記ランク付け値に基づいて、要求側デバイスと適合性があると判断された1つまたは複数の他のコンテンツと相対して順序付けるステップと、
前記要求側デバイスと適合性があると判断された1つまたは複数の他のコンテンツと相対した、前記コンテンツの前記順序付けに基づいて、利用可能コンテンツの順序付き提示を前記要求側デバイスに提供するステップとをさらに含む、請求項1に記載の方法。
【請求項２４】
前記フィードバック情報を受信するステップが、前記デバイス特性の少なくとも共通部分をもつ複数のデバイスから、複数のフィードバック情報を受信するステップをさらに含み、前記コンテンツの前記適合性レーティングを判断するステップが、前記複数のフィードバック情報にさらに基づく、請求項1に記載の方法。
【請求項２５】
前記デバイス特性が、デバイス識別(ID)、デバイスタイプ/型/モデル、デバイスユーザインターフェース構成、デバイスプロセッサ構成、デバイスソフトウェア画像、デバイスランタイム環境/プラットフォーム/オペレーティングシステム、デバイスの場所、モバイル国コード(MCC)、モバイルネットワークコード(MNC)、およびデバイス利用可能メモリ容量のうちの1つまたは複数を含む、請求項1に記載の方法。
【請求項２６】
前記コンテンツを実行するための共通デバイス特性セットを判断するステップと、
前記共通デバイス特性セットに基づいて、デバイスのグループを作成するステップと、
前記適合性レーティングおよび前記共通デバイス特性セットに基づいて、前記グループに対しての前記コンテンツの利用可能性を判断するステップとをさらに含み、
前記コンテンツを利用可能にするステップが、前記要求側デバイスが前記グループの一部として識別されると、前記グループに対しての前記コンテンツの前記利用可能性に基づいて利用可能にするステップをさらに含む、請求項2に記載の方法。
【請求項２７】
前記コンテンツの前記適合性レーティングを、前記デバイス特性セットに関係して記憶するステップをさらに含む、請求項1に記載の方法。
【請求項２８】
前記コンテンツを利用可能にするステップが、前記コンテンツをフィルタリングするステップをさらに含む、請求項2に記載の方法。
【請求項２９】
コンテンツを管理するように構成された少なくとも1つのプロセッサであって、
デバイス特性セットを有するデバイスに関連付けられたコンテンツについてのフィードバック情報を受信するための第1のモジュールであって、前記デバイス特性は、1つまたは複数のデバイス構成情報を含む、第1のモジュールと、
前記フィードバック情報に基づいて、前記デバイス特性の1つまたは複数に関連付けられた前記コンテンツの適合性レーティングを判断するための第2のモジュールと、
前記デバイス特性セットの一部分の1つまたは複数のデバイス特性に関連付けられた前記コンテンツの前記適合性レーティングの一部分に基づいて、前記デバイス特性セットの前記一部分を有する他のデバイスにメッセージを提供するための第3のモジュールとを備えるプロセッサ。
【請求項３０】
コンピュータにより実行可能な命令を備えるコンピュータプログラムであって、
コンピュータ可読媒体が、
コンピュータに、デバイス特性セットを有するデバイスに関連付けられたコンテンツについてのフィードバック情報を受信させるための少なくとも1つの命令であって、前記デバイス特性は、1つまたは複数のデバイス構成情報を含む、命令と、
前記コンピュータに、前記フィードバック情報に基づいて、前記デバイス特性の1つまたは複数に関連付けられた前記コンテンツの適合性レーティングを判断させるための少なくとも1つの命令と、
前記コンピュータに、前記デバイス特性セットの一部分の1つまたは複数のデバイス特性に関連付けられた前記コンテンツの前記適合性レーティングの一部分に基づいて、前記デバイス特性セットの前記一部分を有する他のデバイスにメッセージを提供させるための少なくとも1つの命令とを備える、コンピュータプログラム。
【請求項３１】
デバイス特性セットを有するデバイスに関連付けられたコンテンツについてのフィードバック情報を受信するための手段であって、前記デバイス特性は、1つまたは複数のデバイス構成情報を含む、手段と、
前記フィードバック情報に基づいて、前記デバイス特性の1つまたは複数に関連付けられた前記コンテンツの適合性レーティングを判断するための手段と、
前記デバイス特性セットの一部分の1つまたは複数のデバイス特性に関連付けられた前記コンテンツの前記適合性レーティングの一部分に基づいて、前記デバイス特性セットの前記一部分を有する他のデバイスにメッセージを提供するための手段とを備える装置。
【請求項３２】
コンテンツを管理するための装置であって、
デバイス特性セットを有するデバイスに関連付けられたコンテンツについてのフィードバック情報を受信するように動作可能なフィードバックデータ記憶装置であって、前記デバイス特性は、1つまたは複数のデバイス構成情報を含む、フィードバックデータ記憶装置と、
前記フィードバック情報に基づいて、前記デバイス特性の1つまたは複数に関連付けられた前記コンテンツの適合性レーティングを判断するように動作可能な適合性構成要素と、
前記デバイス特性セットの一部分の1つまたは複数のデバイス特性に関連付けられた前記コンテンツの前記適合性レーティングの一部分に基づいて、前記デバイス特性セットの前記一部分を有する他のデバイスにメッセージを提供するように動作可能なメッセージ構成要素とを備える装置。
【請求項３３】
前記メッセージ構成要素が、前記デバイス特性セットに関係した前記コンテンツの前記適合性レーティングに基づいて、少なくとも前記デバイス特性セットの一部分を有する要求側デバイスに対して、前記コンテンツを利用可能にするようにさらに動作可能である、請求項32に記載の装置。
【請求項３４】
前記メッセージが、1つもしくは複数の適合コンテンツのリスト、前記コンテンツに関して実施するためのアクションに関する推奨、前記コンテンツのコピー、前記コンテンツを含むストリーム、前記コンテンツの変換、前記コンテンツの翻訳、または前記コンテンツに関してアクションを実施するための命令のうちの1つまたは複数を含む、請求項32に記載の装置。
【請求項３５】
前記アクションが、消去、アンインストール、アップグレード、置換え、獲得、コピー、ストリーミング、変換、翻訳、レンダリング、表示、提示、出力、生成、または実行のうちの少なくとも1つを含む、請求項34に記載の装置。
【請求項３６】
前記コンテンツの前記適合性レーティングが、前記コンテンツについての複数の適合性レーティングのうちの1つを含み、前記複数の適合性レーティングの各々が、複数のデバイス特性セットのうちの異なる1つに対応し、前記複数の適合性レーティングのうちの前記1つが、前記他のデバイスのデバイス特性セットへの最も近い一致を定義する、前記複数のデバイス特性セットのうちの前記1つに対応する、請求項32に記載の装置。
【請求項３７】
前記コンテンツの前記適合性レーティングが、前記コンテンツについての複数の適合性レーティングのうちの複数に基づき、前記複数の適合性レーティングの各々が、複数のデバイス特性セットのうちの異なる1つに対応する、請求項32に記載の装置。
【請求項３８】
前記フィードバック情報を受信することが、ユーザレーティング、ユーザレビュー、コンテンツ使用情報、またはコンテンツアンインストール情報のうちの1つまたは複数を受信することをさらに含む、請求項32に記載の装置。
【請求項３９】
前記フィードバック情報を受信することが、使用頻度情報または使用継続時間情報のうちの1つまたは複数を受信することをさらに含む、請求項32に記載の装置。
【請求項４０】
前記フィードバック情報を受信することが、ユーザレーティングを受信することをさらに含み、
前記適合性構成要素が、前記ユーザレーティングが閾値レベルを超えるとき、前記コンテンツは適合性があると判断し、前記ユーザレーティングが前記閾値レベルを下回るとき、前記コンテンツは適合性がないと判断するようにさらに動作可能である、請求項32に記載の装置。
【請求項４１】
前記フィードバック情報を受信することが、ユーザレビューを受信することをさらに含み、
前記適合性構成要素が、適合特性または非適合特性のうちの少なくとも1つを定義する、前記ユーザレビューの1つまたは複数の要素を識別し、前記1つまたは複数の要素が、適合性閾値レベルを超える1つまたは複数の適合特性を定義するとき、前記コンテンツは適合性があると判断し、前記1つまたは複数の要素が、非適合性閾値レベルを超える1つまたは複数の非適合特性を定義するとき、前記コンテンツは適合性がないと判断するようにさらに動作可能である、請求項32に記載の装置。
【請求項４２】
前記ユーザレビューのうちの前記1つまたは複数の要素が、1つまたは複数のキーワードを含む、請求項41に記載の装置。
【請求項４３】
前記フィードバック情報を受信することが、前記コンテンツをアンインストールすると、コンテンツアンインストール情報を受信することをさらに含み、前記適合性構成要素が、コンテンツアンインストールのタイミングがアンインストール期間閾値レベルを超えるとき、前記コンテンツは適合性があると判断し、前記コンテンツアンインストールの前記タイミングが前記アンインストール期間閾値レベルを下回るとき、前記コンテンツは適合性がないと判断するようにさらに動作可能である、請求項32に記載の装置。
【請求項４４】
前記フィードバック情報を受信することが、前記コンテンツアンインストールに関連付けられたユーザフィードバックを受信することをさらに含み、前記適合性構成要素が、前記アンインストール期間閾値レベルおよび前記ユーザフィードバックに基づいて、前記コンテンツは適合性があると判断するようにさらに動作可能である、請求項43に記載の装置。
【請求項４５】
前記ユーザフィードバックが、前記コンテンツアンインストール中にユーザに対して提示される1つまたは複数のアンインストールメッセージから選択される、請求項44に記載の装置。
【請求項４６】
前記アンインストールメッセージが、前記コンテンツが前記デバイス上で正しく機能しなかった、前記デバイスが前記コンテンツによって使われる構成要素をもっていなかった、または、前記ユーザが前記デバイス上で前記コンテンツを使うことを好まなかった、のうちの1つまたは複数を含む、請求項45に記載の装置。
【請求項４７】
前記構成要素が、カメラ、全地球測位システム、ワイヤレス接続機能、および特定のスクリーンサイズのうちの1つまたは複数を含む、請求項46に記載の装置。
【請求項４８】
前記フィードバック情報を受信することが、コンテンツ使用情報を受信することをさらに含み、
前記適合性構成要素が、前記アンインストール期間閾値レベルおよび前記コンテンツ使用情報に基づいて、前記コンテンツは適合性があると判断するようにさらに動作可能である、請求項43に記載の装置。
【請求項４９】
前記コンテンツについての前記フィードバック情報を受信することが、コンテンツ使用情報を受信することをさらに含み、
前記適合性構成要素が、前記コンテンツ使用情報が閾値レベルを上回るとき、前記コンテンツは適合性があると判断し、前記コンテンツ使用情報が前記閾値レベルを下回るとき、前記コンテンツは適合性がないと判断するようにさらに動作可能である、請求項32に記載の装置。
【請求項５０】
前記コンテンツ使用情報が定期的に受信される、請求項49に記載の装置。
【請求項５１】
前記コンテンツ使用情報を受信することが、使用頻度情報または使用継続時間情報のうちの少なくとも1つを受信することを含む、請求項49に記載の装置。
【請求項５２】
前記適合性構成要素が、前記フィードバック情報を送信する前記デバイスに基づいて、前記フィードバック情報または前記適合性レーティングに重みを加えるようにさらに動作可能であり、
前記メッセージ構成要素が、前記重み付きフィードバック情報または前記重み付き適合性レーティングに基づいて、前記要求側デバイスに対して前記コンテンツを利用可能にするようにさらに動作可能である、請求項33に記載の装置。
【請求項５３】
前記適合性構成要素が、前記フィードバック情報を送信する前記デバイスが前記要求側デバイスの第2のユーザのソーシャルネットワーク内の第1のユーザに対応するとき、前記フィードバック情報または前記適合性レーティングに比較的高い重みを加えるようにさらに動作可能である、請求項52に記載の装置。
【請求項５４】
前記メッセージ構成要素が、前記フィードバック情報に基づいて、前記コンテンツのランク付け値を判断し、前記ランク付け値に基づいて、前記要求側デバイスとの適合性があると判断された1つまたは複数の他のコンテンツと相対して、前記コンテンツを順序付け、前記要求側デバイスとの適合性があると判断された1つまたは複数の他のコンテンツと相対した前記コンテンツの前記順序付けに基づいて、利用可能コンテンツの順序付き提示を前記要求側デバイスに与えるようにさらに動作可能である、請求項33に記載の装置。
【請求項５５】
前記フィードバックデータ記憶装置が、前記デバイス特性の少なくとも共通部分をもつ複数のデバイスから複数のフィードバック情報を受信するようにさらに動作可能であり、前記適合性構成要素が、前記コンテンツの前記適合性レーティングが前記複数のフィードバック情報にさらに基づくと判断するようにさらに動作可能である、請求項32に記載の装置。
【請求項５６】
前記デバイス特性が、デバイス識別(ID)、デバイスタイプ/型/モデル、デバイスユーザインターフェース構成、デバイスプロセッサ構成、デバイスソフトウェア画像、デバイスランタイム環境/プラットフォーム/オペレーティングシステム、デバイスの場所、モバイル国コード(MCC)、モバイルネットワークコード(MNC)、およびデバイス利用可能メモリ容量のうちの1つまたは複数を含む、請求項32に記載の装置。
【請求項５７】
前記メッセージ構成要素が、前記コンテンツを実行するための共通デバイス特性セットを判断し、前記共通デバイス特性セットに基づいてデバイスのグループを作成し、前記適合性レーティングおよび前記共通デバイス特性セットに基づいて、前記グループに対する前記コンテンツの利用可能性を判断するようにさらに動作可能であり、前記要求側デバイスが前記グループの一部として識別されるとき、前記コンテンツが、前記グループに対して利用可能にされる、請求項33に記載の装置。
【請求項５８】
前記デバイス特性セットに関係した前記コンテンツの前記適合性レーティングを記憶するように動作可能なデータ記憶装置をさらに備える、請求項32に記載の装置。
【請求項５９】
前記メッセージ構成要素が、利用可能コンテンツをフィルタリングするようにさらに動作可能である、請求項33に記載の装置。
【請求項６０】
コンテンツフィードバック情報を提供するための方法であって、
ワイヤレスデバイス上の1つまたは複数のコンテンツにアクセスするステップと、
前記1つまたは複数のコンテンツについてのフィードバック情報を生成するステップと、
前記ワイヤレスデバイスについての1つまたは複数のデバイス特性とともに前記フィードバック情報を処理のためにフォワードするステップであって、前記デバイス特性は、1つまたは複数のデバイス構成情報を含む、ステップと
を含む方法。
【請求項６１】
前記フィードバック情報を生成するステップが、ユーザレーティング、ユーザレビュー、コンテンツ使用情報、またはコンテンツアンインストール情報のうちの1つまたは複数を取得するステップをさらに含む、請求項60に記載の方法。
【請求項６２】
前記フィードバック情報を生成するステップが、使用頻度情報または使用継続時間情報のうちの1つまたは複数を取得するステップをさらに含む、請求項60に記載の方法。
【請求項６３】
前記1つまたは複数のデバイス特性が、デバイス識別(ID)、デバイスタイプ/型/モデル、デバイスユーザインターフェース構成、デバイスプロセッサ構成、デバイスソフトウェア画像、デバイスランタイム環境/プラットフォーム/オペレーティングシステム、デバイスの場所、モバイル国コード(MCC)、モバイルネットワークコード(MNC)、およびデバイス利用可能メモリ容量のうちの1つまたは複数を含む、請求項60に記載の方法。
【請求項６４】
前記1つまたは複数のコンテンツを、前記デバイスからアンインストールして、コンテンツアンインストールを定義するステップをさらに含み、
前記フィードバック情報が、前記コンテンツアンインストールのタイミングを含む、請求項60に記載の方法。
【請求項６５】
前記ワイヤレスデバイスのソーシャルネットワーク内の他のワイヤレスデバイスと、前記フィードバック情報を共有するステップをさらに含む、請求項60に記載の方法。
【請求項６６】
コンテンツフィードバック情報を提供するように構成された少なくとも1つのプロセッサであって、
ワイヤレスデバイス上の1つまたは複数のコンテンツにアクセスするための第1のモジュールと、
前記1つまたは複数のコンテンツについてのフィードバック情報を生成するための第2のモジュールと、
前記ワイヤレスデバイスについての1つまたは複数のデバイス特性とともに前記フィードバック情報を処理のためにフォワードするための第3のモジュールであって、前記デバイス特性は、1つまたは複数のデバイス構成情報を含む、第3のモジュールとを備えるプロセッサ。
【請求項６７】
コンピュータにより実行可能な命令を備えるコンピュータプログラムであって、
コンピュータ可読媒体が、
コンピュータに、ワイヤレスデバイス上の1つまたは複数のコンテンツにアクセスさせるための少なくとも1つの命令と、
前記コンピュータに、前記1つまたは複数のコンテンツについてのフィードバック情報を生成させるための少なくとも1つの命令と、
前記コンピュータに、前記ワイヤレスデバイスについての1つまたは複数のデバイス特性とともに前記フィードバック情報を処理のためにフォワードさせるための少なくとも1つの命令であって、前記デバイス特性は、1つまたは複数のデバイス構成情報を含む、命令とを備えるコンピュータプログラム。
【請求項６８】
ワイヤレスデバイス上の1つまたは複数のコンテンツにアクセスするための手段と、
前記1つまたは複数のコンテンツについてのフィードバック情報を生成するための手段と、
前記ワイヤレスデバイスについての1つまたは複数のデバイス特性とともに前記フィードバック情報を処理のためにフォワードするための手段であって、前記デバイス特性は、1つまたは複数のデバイス構成情報を含む、手段とを備える装置。
【請求項６９】
コンテンツフィードバック情報を提供するための装置であって、
ワイヤレスデバイス上の1つまたは複数のコンテンツにアクセスするように動作可能なアクセス構成要素と、
前記1つまたは複数のコンテンツについてのフィードバック情報を生成するように動作可能なフィードバック構成要素と、
前記ワイヤレスデバイスについての1つまたは複数のデバイス特性とともに前記フィードバック情報を処理のためにフォワードするように動作可能なフォワード構成要素であって、前記デバイス特性は、1つまたは複数のデバイス構成情報を含む、フォワード構成要素とを備える装置。
【請求項７０】
前記フィードバック情報を生成することが、ユーザレーティング、ユーザレビュー、コンテンツ使用情報、またはコンテンツアンインストール情報のうちの1つまたは複数を取得することをさらに含む、請求項69に記載の装置。
【請求項７１】
前記フィードバック情報を生成することが、使用頻度情報または使用継続時間情報のうちの1つまたは複数を取得することをさらに含む、請求項69に記載の装置。
【請求項７２】
前記1つまたは複数のデバイス特性が、デバイス識別(ID)、デバイスタイプ/型/モデル、デバイスユーザインターフェース構成、デバイスプロセッサ構成、デバイスソフトウェア画像、デバイスランタイム環境/プラットフォーム/オペレーティングシステム、デバイスの場所、モバイル国コード(MCC)、モバイルネットワークコード(MNC)、およびデバイス利用可能メモリ容量のうちの1つまたは複数を含む、請求項69に記載の装置。
【請求項７３】
前記アクセス構成要素が、前記1つまたは複数のコンテンツを前記デバイスからアンインストールして、コンテンツアンインストールを定義するようにさらに構成され、
前記フィードバック情報が、前記コンテンツアンインストールのタイミングを含む、請求項69に記載の装置。
【請求項７４】
前記ワイヤレスデバイスのソーシャルネットワーク内の他のワイヤレスデバイスと、前記フィードバック情報を共有するように動作可能な共有構成要素をさらに備える、請求項69に記載の装置。
【請求項７５】
ワイヤレスデバイスが、適合コンテンツについての情報を取得するための方法であって、
第1のデバイス特性セットをもつワイヤレスデバイスによって、コンテンツについての要求を送るステップであって、前記デバイス特性は、1つまたは複数のデバイス構成情報を含む、ステップと、
前記要求に応答して、前記デバイス特性の1つまたは複数に関連付けられた前記コンテンツの適合性レーティングの一部分に基づくメッセージを受信するステップであって、前記適合性レーティングが、前記コンテンツに関連付けられた他のワイヤレスデバイスから受信されたフィードバック情報に基づき、前記他のワイヤレスデバイスが、前記ワイヤレスデバイスの前記第1のデバイス特性セットの一部分を含む第2のデバイス特性セットをもつ、ステップと、
前記メッセージに基づいて、前記コンテンツに関してアクションを実施するステップとを含む方法。
【請求項７６】
前記メッセージが、1つもしくは複数の適合コンテンツのリスト、前記コンテンツに関して実施するための前記アクションに関する推奨、前記コンテンツのコピー、前記コンテンツを含むストリーム、前記コンテンツの変換、前記コンテンツの翻訳、または前記コンテンツに関して前記アクションを実施するための命令のうちの1つまたは複数を含む、請求項75に記載の方法。
【請求項７７】
前記アクションを実施するステップが、前記コンテンツを消去するステップ、前記コンテンツをアンインストールするステップ、前記コンテンツをアップグレードするステップ、前記コンテンツを置き換えるステップ、前記コンテンツを獲得するステップ、前記コンテンツをコピーするステップ、前記コンテンツをストリーミングするステップ、前記コンテンツを変換するステップ、前記コンテンツを翻訳するステップ、前記コンテンツをレンダリングするステップ、前記コンテンツを表示するステップ、前記コンテンツを提示するステップ、前記コンテンツを出力するステップ、前記コンテンツを生成するステップ、または前記コンテンツを実行するステップのうちの少なくとも1つをさらに含む、請求項75に記載の方法。
【請求項７８】
前記適合性レーティングが、前記ワイヤレスデバイスの少なくとも1つのデバイス特性と同様のデバイス特性セットを有する1つまたは複数のワイヤレスデバイスから受信されたフィードバック情報に基づく、請求項75に記載の方法。
【請求項７９】
前記1つまたは複数のワイヤレスデバイスが、前記ワイヤレスデバイスのソーシャルネットワーク内の少なくとも1つのデバイスを含む、請求項75に記載の方法。
【請求項８０】
前記コンテンツを出力するステップが、
前記コンテンツのランク付け値を受信するステップと、
前記ランク付け値に基づいて、1つまたは複数の他のコンテンツに相対して、前記コンテンツを順序付けるステップと、
前記コンテンツの前記順序付けに基づいて、前記コンテンツの順序付き提示を提供するステップとをさらに含む、請求項77に記載の方法。
【請求項８１】
適合コンテンツについての情報を取得するように構成された少なくとも1つのプロセッサであって、
第1のデバイス特性セットをもつワイヤレスデバイスによって、コンテンツについての要求を送るための第1のモジュールであって、前記デバイス特性は、1つまたは複数のデバイス構成情報を含む、第1のモジュールと、
前記要求に応答して、前記デバイス特性の1つまたは複数に関連付けられた前記コンテンツの適合性レーティングの一部分に基づくメッセージを受信するための第2のモジュールであって、前記適合性レーティングが、前記コンテンツに関連付けられた他のワイヤレスデバイスから受信されたフィードバック情報に基づき、前記他のワイヤレスデバイスが、前記ワイヤレスデバイスの前記第1のデバイス特性セットの一部分を含む第2のデバイス特性セットをもつ、第2のモジュールと、
前記メッセージに基づいて、前記コンテンツに関してアクションを実施するための第3のモジュールとを備えるプロセッサ。
【請求項８２】
コンピュータにより実行可能な命令を備えるコンピュータプログラムであって、
コンピュータ可読媒体が、
コンピュータに、第1のデバイス特性セットをもつワイヤレスデバイスによって、コンテンツについての要求を送らせるための少なくとも1つの命令であって、前記デバイス特性は、1つまたは複数のデバイス構成情報を含む、命令と、
前記コンピュータに、前記要求に応答して、前記デバイス特性の1つまたは複数に関連付けられた前記コンテンツの適合性レーティングの一部分に基づくメッセージを受信させるための少なくとも1つの命令であって、前記適合性レーティングが、前記コンテンツに関連付けられた他のワイヤレスデバイスから受信されたフィードバック情報に基づき、前記他のワイヤレスデバイスが、前記ワイヤレスデバイスの前記第1のデバイス特性セットの一部分を含む第2のデバイス特性セットをもつ、命令と、
前記コンピュータに、前記メッセージに基づいて、前記コンテンツに関してアクションを実施させるための少なくとも1つの命令とを備えるコンピュータプログラム。
【請求項８３】
第1のデバイス特性セットをもつワイヤレスデバイスによって、コンテンツについての要求を送るための手段であって、前記デバイス特性は、1つまたは複数のデバイス構成情報を含む、手段と、
前記要求に応答して、前記デバイス特性の1つまたは複数に関連付けられた前記コンテンツの適合性レーティングの一部分に基づくメッセージを受信するための手段であって、前記適合性レーティングが、前記コンテンツに関連付けられた他のワイヤレスデバイスから受信されたフィードバック情報に基づき、前記他のワイヤレスデバイスが、前記ワイヤレスデバイスの前記第1のデバイス特性セットの一部分を含む第2のデバイス特性セットをもつ、手段と、
前記メッセージに基づいて、前記コンテンツに関してアクションを実施するための手段とを備える装置。
【請求項８４】
適合コンテンツについての情報を取得するためのワイヤレスデバイスであって、
第1のデバイス特性セットをもつワイヤレスデバイスによって、コンテンツアクセスコンテンツについての要求を送るように動作可能な要求元構成要素であって、前記デバイス特性は、1つまたは複数のデバイス構成情報を含む、要求元構成要素と、
前記要求に応答して、前記デバイス特性の1つまたは複数に関連付けられた前記コンテンツの適合性レーティングの一部分に基づくメッセージを受信するように動作可能なアクション構成要素であって、前記適合性レーティングが、前記コンテンツに関連付けられた他のワイヤレスデバイスから受信されたフィードバック情報に基づき、前記他のワイヤレスデバイスが、前記ワイヤレスデバイスの前記第1のデバイス特性セットの一部分を含む第2のデバイス特性セットをもつ、アクション構成要素とを備えるワイヤレスデバイス。
【請求項８５】
前記メッセージが、1つもしくは複数の適合コンテンツのリスト、前記コンテンツに関して実施するためのアクションに関する推奨、前記コンテンツのコピー、前記コンテンツを含むストリーム、前記コンテンツの変換、前記コンテンツの翻訳、または前記コンテンツに関してアクションを実施するための命令のうちの1つまたは複数を含む、請求項84に記載のワイヤレスデバイス。
【請求項８６】
前記アクションが、前記コンテンツの消去、前記コンテンツのアンインストール、前記コンテンツのアップグレード、前記コンテンツの置換え、前記コンテンツの獲得、前記コンテンツのコピー、前記コンテンツのストリーミング、前記コンテンツの変換、前記コンテンツの翻訳、前記コンテンツのレンダリング、前記コンテンツの表示、前記コンテンツの提示、前記コンテンツの出力、前記コンテンツの生成、または前記コンテンツの実行のうちの少なくとも1つをさらに含む、請求項84に記載のワイヤレスデバイス。
【請求項８７】
前記適合性レーティングが、前記ワイヤレスデバイスの少なくとも1つのデバイス特性と同様のデバイス特性セットを有する1つまたは複数のワイヤレスデバイスから受信されたフィードバック情報に基づく、請求項84に記載のワイヤレスデバイス。
【請求項８８】
前記1つまたは複数のワイヤレスデバイスが、前記ワイヤレスデバイスのソーシャルネットワーク内の少なくとも1つのデバイスを含む、請求項84に記載のワイヤレスデバイス。
【請求項８９】
前記コンテンツの前記出力が、前記コンテンツのランク付け値を受信し、前記ランク付け値に基づいて、前記コンテンツを、1つまたは複数の他のコンテンツに相対して順序付け、前記コンテンツの前記順序に基づいて、前記コンテンツの順序付き提示を提供することをさらに含む、請求項86に記載のワイヤレスデバイス。